(57)【要約】      （修正有）【課題】少ない数の発光素子で以て広範囲を照射することが可能であり、装飾的、趣味的要素を以て発光させることが可能な装飾的発光機能を備えたシューズを提供する。【解決手段】ヒールに形成されるユニット収納室内に収められる振動センサとバッテリを含む発光ユニット１と、発光ユニット１から延びるリード線２に接続されて、アッパー側部の外皮１３と内皮１４との間に配置される発光素子３と、外皮１３と内皮１４との間に帯状に延びるように配置され、一端部に発光素子３が埋設される光導波性透明樹脂４とを備え、外皮１３は、メッシュ地１５とその内面に張着される柄地１６とから成り、柄地１６には適宜形状の開口部１７が形成されていて、発光時にその開口部１７の形状が浮かび出るようにした。【選択図】図２
0003184927.tif 000002
【実用新案登録請求の範囲】
【請求項１】
ヒールに形成されるユニット収納室内に収められる振動センサとバッテリを含む発光ユニットと、前記発光ユニットから延びるリード線に接続されて、外皮と内皮とから成るアッパー側部の前記外皮と内皮との間に配置される発光素子と、前記外皮と内皮との間に帯状に延びるように配置され、一端部に前記発光素子が埋設される光導波性透明樹脂とを備え、
前記外皮は、メッシュ地とその内面に張着される柄地とから成り、前記柄地には適宜形状の開口部が形成されていて、発光時にその開口部の形状が浮かび出るようにしたことを特徴とする装飾的発光機能を備えたシューズ。
【請求項２】
前記光導波性透明樹脂に縫い目及び／又は傷を設け、その部分から発光させるようにした、請求項１に記載の装飾的発光機能を備えたシューズ。
【請求項３】
前記光導波性透明樹脂を複数段配置した、請求項１又は２に記載の装飾的発光機能を備えたシューズ。
【請求項４】
前記柄地の開口部は、円形、多角形、星形、花柄、動物の頭部、その他任意の形状とされる、請求項１乃至３のいずれかに記載の装飾的発光機能を備えたシューズ。
【考案の詳細な説明】
【技術分野】
【０００１】
本考案は装飾的発光機能を備えたシューズに関するものであり、より詳細には、着用時に着地に伴う振動で発光する機能を備えたシューズであって、その発光状態が従来にない装飾的、趣味的なものとなる装飾的発光機能を備えたシューズに関するものである。
【背景技術】
【０００２】
従来より、ＬＥＤ等の発光手段とバッテリーと振動センサとを内蔵していて、その振動センサが着地の際の振動を検出することによって通電させ、発光手段を発光させるようにした発光機能付きシューズは種々提案されている（特開平２００５−２７８７６号公報、特開２００２−４５２０９号公報、特開平８−３３２１０２号公報等）。
【０００３】
しかるに、上記従来の発光機能付きシューズの場合は、発光ユニットから延びるリード線の先端に設置されたＬＥＤ等の発光素子を点滅させるものであり、発光範囲はその発光素子の周辺部に限定されることとなり、また、その発光は単なる点滅に止まり、格別、装飾的、趣味的なものとなる訳ではない。
【先行技術文献】
【特許文献】
【０００４】
【特許文献１】特開平２００５−２７８７６号公報
【特許文献２】特開２００２−４５２０９号公報
【特許文献３】特開平８−３３２１０２号公報
【考案の概要】
【考案が解決しようとする課題】
【０００５】
上述したように、従来提案されている発光機能付きシューズの場合、その発光範囲は狭い範囲に限定され、また、その発光は単なる点滅に止まるものであって、格別、装飾的、趣味的工夫が施されている訳ではなかった。
【０００６】
そこで本考案は、少ない数の発光素子で以て広範囲を照射することが可能であり、また、装飾的、趣味的要素を以て発光させることが可能な装飾的発光機能を備えたシューズを提供することを課題とする。
【課題を解決するための手段】
【０００７】
上記課題を解決するための請求項１に記載の考案は、ヒールに形成されるユニット収納室内に収められる振動センサとバッテリを含む発光ユニットと、前記発光ユニットから延びるリード線に接続されて、外皮と内皮とから成るアッパー側部の前記外皮と内皮との間に配置される発光素子と、前記外皮と内皮との間に帯状に延びるように配置され、一端部に前記発光素子が埋設される光導波性透明樹脂とを備え、前記外皮は、メッシュ地とその内面に張着される柄地とから成り、前記柄地には適宜形状の開口部が形成されていて、発光時にその開口部の形状が浮かび出るようにしたことを特徴とする装飾的発光機能を備えたシューズである。
【０００８】
一実施形態においては、前記光導波性透明樹脂に縫い目及び／又は傷を設け、その部分から発光させるようにする。また、前記光導波性透明樹脂を複数段配置することもある。前記柄地の開口部は、円形、多角形、星形、花柄、動物の頭部、その他任意の形状とすることができる。
【考案の効果】
【０００９】
本考案に係る装飾的発光機能を備えたシューズは上記のような構成であるため、帯状に延びる光導波性透明樹脂の両端部や中間部において発光させることができるので、従来の発光シューズのような点状照射ではなく、面状照射が可能となり、また、開口部の形状によって種々の装飾的、興趣的発光が可能となり、一層興味を以て着用し得る効果がある。
【図面の簡単な説明】
【００１０】
【図１】本考案に係る装飾的発光機能を備えたシューズの一実施形態の斜視図である。
【図２】図１に示す装飾的発光機能を備えたシューズの部分破断図である。
【図３】図１に示す装飾的発光機能を備えたシューズの部分切除図である。
【考案を実施するための形態】
【００１１】
本考案の実施の形態を添付図面を参照しつつ説明する。図１は、本考案に係る装飾的発光機能を備えたシューズの外観例を示す斜視図で、そこに示されるように本シューズは、シューズ自体の基本形態（外観）は一般のものと特に変わりはないが、後述するように、その外側部を広範囲に、換言すれば、面状の照射が可能となることを特徴とするものである。
【００１２】
本シューズにおけるアッパー側部は、外皮１３と内皮１４とから成り、外皮１３は、光透過性のメッシュ地１５と、その内側に張付けられる柄地１６とで構成されている（図２参照）。柄地１６には、適宜図形等を表わす開口部１７が形成される。図示した例では、開口部１７は六角形とされているが、円形や三角形の他、星形、花柄、動物の頭部、その他任意の形状とすることができる。
【００１３】
振動センサとバッテリを含む発光ユニット１は、ヒール１１に形成されるユニット収納室１２内に収められ、発光ユニット１から延びるリード線２は、外皮１３と内皮１４との間に導かれ、そこに配置されるＬＥＤ等の発光素子３（以下単にＬＥＤ３とする。）に接続される。発光ユニット１の構成及び振動による発光原理は、従来のものに準じるので、説明を省略する。
【００１４】
本考案においては、ＬＥＤ３は、帯状の光導波性透明樹脂４内に埋設される。この光導波性透明樹脂４は、いわゆる光閉じ込め効果のある透明樹脂（例えば、感光性透明ポリイミド）で、ＬＥＤ３から発せられて伝搬する光は、その先の樹脂を感光して伝搬光自らが導波路を形成しながら端面まで進み、端面を発光させる。また、その進路の途中に傷口があると、その部分から漏れて発光する。従って、所々に傷５を付け、あるいは、縫い目６を設けることにより、その部分を発光させることが可能となる。
【００１５】
端部にＬＥＤ３を埋設した帯状の光導波性透明樹脂４は、１段とは限らず、２段又は３段配設することもある（図示した例は２段）。そのようにした場合は、より広範囲の照射が可能となる。また、各光導波性透明樹脂４を複数配設し、それぞれのＬＥＤ３の発光色を変え、また、順次発光させる等の操作により、種々の変化に富んだ照射が可能となる。
【００１６】
上記構成の装飾的発光機能を備えたシューズは、一般のシューズと同様にして履用するが、着地に伴って振動を受けることによりＬＥＤ３が発光し、光導波性透明樹脂４のＬＥＤ３埋設部分、端面、傷５部分並びに縫い目６部分が発光する。そして、柄地１６が裏面側から照射されることで、開口部１７の形状がシルエットとして浮かび出る。
【００１７】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００１８】
１    発光ユニット
２    リード線
３    ＬＥＤ
４    光導波性透明樹脂
５    傷
６    縫い目
１１  ヒール
１２  ユニット収納室
１３  外皮
１４  内皮
１５  メッシュ地
１６  柄地
１７  開口部
【図１】
0003184927.tif 000003
【図２】
0003184927.tif 000004
【図３】
0003184927.tif 000005